(57)【要約】【課題】印刷システムに接続された装置間で共通の画像データを使用することにより、使用メモリを削減して、ユーザインタフェースを改善すること。【解決手段】印刷システムは、ジョブを作成する作成装置と、前記ジョブに基づいて印刷実行の指示をする制御装置と、前記制御装置からの印刷実行の指示に基づき画像を形成する画像形成装置と、前記作成装置、前記制御装置又は前記画像形成装置が備える表示装置に係る表示データを保持する情報処理装置とを含み、前記画像形成装置に発生する事象に応じた前記表示データ、又は前記画像形成装置の機器構成に応じた前記表示データを、前記情報処理装置から前記制御装置、前記作成装置又は前記画像形成装置に送信する送信部を備え、前記情報処理装置に保持される前記表示データは、拡大、縮小又は回転させる場合に画質の劣化が少ない平滑な画面表示が可能なデータ形式で記憶される。【選択図】図７
2018156484.tif 000002
【特許請求の範囲】
【請求項１】
ジョブを作成する作成装置と、前記ジョブに基づいて印刷実行の指示をする制御装置と、前記制御装置からの印刷実行の指示に基づき画像を形成する画像形成装置と、前記作成装置、前記制御装置又は前記画像形成装置が備える表示装置に係る表示データを保持する情報処理装置とを含む印刷システムであって、
前記画像形成装置に発生する事象に応じた前記表示データ、又は前記画像形成装置の機器構成に応じた前記表示データを、前記情報処理装置から前記制御装置、前記作成装置又は前記画像形成装置に送信する送信部を備え、
前記情報処理装置に保持される前記表示データは、拡大、縮小又は回転させる場合に画質の劣化が少ない平滑な画面表示が可能なデータ形式で記憶される印刷システム。
【請求項２】
ジョブを作成する作成装置と、前記ジョブに基づいて印刷実行の指示をする制御装置と、前記制御装置からの印刷実行の指示に基づき画像を形成する画像形成装置と、前記作成装置、前記制御装置又は前記画像形成装置が備える表示装置に係る表示データを保持する情報処理装置とを含む印刷システムであって、
前記画像形成装置に発生する事象に応じた前記表示データ、又は前記画像形成装置の機器構成に応じた前記表示データを、前記情報処理装置から前記制御装置、前記作成装置又は前記画像形成装置に送信する送信部を備え、
前記情報処理装置に保持される前記表示データは、拡大、縮小又は回転させる場合に画質の劣化が少ない平滑な画面表示が可能なデータ形式で記憶されるデータと、前記作成装置、前記制御装置又は前記画像形成装置が備える表示装置それぞれの画面仕様に応じた複数のビットマップ形式で記憶されるデータとを含む印刷システム。
【請求項３】
前記画像形成装置に周辺機器が接続された場合、当該周辺機器に係る表示データが、前記情報処理装置に保持される表示データに追加される請求項１又は２記載の印刷システム。
【請求項４】
前記画像形成装置に接続される周辺機器は、当該周辺機器に係る表示データを保持しており、前記画像形成装置は、当該表示データを取得する手段を有する請求項１乃至３いずれか一項記載の印刷システム。
【請求項５】
前記画像形成装置に所定の事象が発生した場合、前記情報処理装置は、前記作成装置、前記制御装置又は前記画像形成装置に、前記画像形成装置に発生する事象に応じた前記表示データを送信する請求項１乃至４いずれか一項記載の印刷システム。
【請求項６】
前記情報処理装置と外部ネットワークを介して接続するサーバ装置が保持する第１の表示データが更新された場合に、更新された前記第１の表示データに基づいて、前記情報処理装置が保持する第２の表示データが更新される請求項１乃至５いずれか一項記載の印刷システム。
【請求項７】
前記画像形成装置に所定の事象が発生した場合、前記情報処理装置は、前記作成装置、前記制御装置及び前記画像形成装置に、前記画像形成装置が設置されている地域及び使用言語に適合した表示データを送信する請求項１乃至６いずれか一項記載の印刷システム。
【請求項８】
ジョブを作成する作成装置と、前記ジョブに基づいて印刷実行の指示をする制御装置と、前記制御装置からの印刷実行の指示に基づき画像を形成する画像形成装置とに接続され、前記作成装置、前記制御装置又は前記画像形成装置が備える表示装置に係る表示データを保持する情報処理装置であって、
前記画像形成装置に発生する事象に応じた前記表示データ、又は前記画像形成装置の機器構成に応じた前記表示データを、前記情報処理装置から前記制御装置、前記作成装置又は前記画像形成装置に送信する送信部を備え、
前記情報処理装置に保持される前記表示データは、拡大、縮小又は回転させる場合に画質の劣化が少ない平滑な画面表示が可能なデータ形式で記憶される情報処理装置。
【請求項９】
ジョブを作成する作成装置と、前記ジョブに基づいて印刷実行の指示をする制御装置と、前記制御装置からの印刷実行の指示に基づき画像を形成する画像形成装置とに接続され、前記作成装置、前記制御装置又は前記画像形成装置が備える表示装置に係る表示データを保持する情報処理装置に、
前記画像形成装置に発生する事象に応じた前記表示データ、又は前記画像形成装置の機器構成に応じた前記表示データを、前記情報処理装置から前記制御装置、前記作成装置又は前記画像形成装置に送信する送信手順を実行させ、
前記情報処理装置に保持される前記表示データは、拡大、縮小又は回転させる場合に画質の劣化が少ない平滑な画面表示が可能なデータ形式で記憶されるプログラム。
【発明の詳細な説明】
【技術分野】
【０００１】
本発明は、印刷システム、情報処理装置及びプログラムに関する。
【背景技術】
【０００２】
プリンタの操作部に表示される操作ガイダンス情報である、マシン構成図、ジャム処理の図及びガイドの図は、プリンタ本体のストレージに内蔵されており、当該ストレージを読み出して表示している。また、プリンタに印刷データを送信し印刷指示をする装置であるＤＦＥ（Digital Front End）では、接続されるプリンタのマシン構成図、ジャム処理の図及びガイドの図は、ＤＦＥのストレージに内蔵されており、当該ストレージを読み出して表示している。それらの図を表示するためのデータに使用するメモリを減少させる目的で、インターネット上のサーバから、ジャム等のプリンタに発生する事象に対応した表示データ等をダウンロードすることにより、使用するメモリを増加させることなく操作ガイダンス情報を提供する手段が知られている（例えば特許文献１）。
【発明の概要】
【発明が解決しようとする課題】
【０００３】
従来のプリンタ本体の操作画面は、物理サイズ及び重量等の制限があるため、ＤＦＥ又はワークフローＰＣ（Personal Computer）の画面と物理サイズ等を同一にできない。また、ＤＦＥ又はワークフローＰＣは、メモリ削減のため操作ガイダンス情報に係る画像データを保持していない。そのような場合、プリンタ本体が内蔵する画像データを、ＤＦＥ又はワークフローＰＣが読み出して表示する。しかしながら、プリンタ本体の操作画面のサイズ、解像度又は縦横比等がＤＦＥ又はワークフローＰＣの画面と異なるため、操作ガイダンス情報に含まれる図をそのまま、ＤＦＥ又はワークフローＰＣで表示すると画面の物理サイズ、縦横比等がマッチしないという問題があった。すなわち、プリンタ本体の操作画面と、ＤＦＥの表示画面と、ワークフローＰＣの表示画面とのそれぞれが、画面の物理サイズ、解像度又は縦横比等が相違しており、共通の画像データを使用することができなかった。
【０００４】
また、インターネットに接続されていない環境においては、ワークフローＰＣを含むプリンタシステムにおいて、ワークフローＰＣの表示画面上で、最新のマシン構成図は表示できず、ジャム処理の図データも表示できなかった。また、ワークフローＰＣのソフトリリース後に発売されたプリンタシステムについては、図情報を取得できなかった。
【０００５】
本発明は、上記の点に鑑みてなされたものであって、印刷システムに接続された装置間で共通の画像データを使用することにより、使用メモリを削減して、ユーザインタフェースを改善することを目的とする。
【課題を解決するための手段】
【０００６】
そこで上記課題を解決するため、印刷システムは、ジョブを作成する作成装置と、前記ジョブに基づいて印刷実行の指示をする制御装置と、前記制御装置からの印刷実行の指示に基づき画像を形成する画像形成装置と、前記作成装置、前記制御装置又は前記画像形成装置が備える表示装置に係る表示データを保持する情報処理装置とを含み、前記画像形成装置に発生する事象に応じた前記表示データ、又は前記画像形成装置の機器構成に応じた前記表示データを、前記情報処理装置から前記制御装置、前記作成装置又は前記画像形成装置に送信する送信部を備え、前記情報処理装置に保持される前記表示データは、拡大、縮小又は回転させる場合に画質の劣化が少ない平滑な画面表示が可能なデータ形式で記憶される。
【発明の効果】
【０００７】
印刷システムに接続された装置間で共通の画像データを使用することにより、使用メモリを削減して、ユーザインタフェースを改善することができる。
【図面の簡単な説明】
【０００８】
【図１】本発明の実施の形態における印刷システム１０００の第１の構成例を示す図である。
【図２】本発明の実施の形態における印刷システム１０００の第２の構成例を示す図である。
【図３】本発明の実施の形態における印刷システム１０００に含まれるプリンタ本体と周辺機器の一例を示す図である。
【図４】本発明の実施の形態におけるプリンタ本体１２０のハードウェアの構成例を示す図である。
【図５】本発明の実施の形態における周辺機器４０１のハードウェアの構成例を示す図である。
【図６】本発明の実施の形態におけるＤＦＥ１２２のハードウェアの構成例を示す図である。
【図７】本発明の実施の形態における印刷システム１０００の機能構成例を示す図である。
【図８】本発明の実施の形態におけるプリンタ本体操作部７０１及びプリンタ用操作部画面１２１の一例を示す図である。
【図９】本発明の実施の形態における各装置の電源投入時の動作を示すフローチャートである。
【図１０】本発明の実施の形態における第１の画像表示処理のフローチャートである。
【図１１】本発明の実施の形態におけるＤＦＥ用画面１２３の表示画面の一例を示す図である。
【図１２】本発明の実施の形態における各装置の第１の画像表示の一例を示す図である。
【図１３】本発明の実施の形態における第２の画像表示処理のフローチャートである。
【図１４】本発明の実施の形態における各装置の第２の画像表示の一例を示す図である。
【発明を実施するための形態】
【０００９】
以下、図面に基づいて本発明の実施の形態を説明する。
【００１０】
図１は、本発明の実施の形態における印刷システム１０００の第１の構成例を示す図である。図１に示されるように、印刷システム１０００は、プリンタ本体１２０、プリンタ用操作部画面１２１、ＤＦＥ（Digital Front End、デジタルフロントエンド）１２２、ＤＦＥ用画面１２３、ワークフローＰＣ１２４、ワークフローＰＣ用画面１２５、ユーザサーバ１２６、ユーザネットワーク１２７、メーカサーバ１２８及び外部ネットワーク１２９を含む。
【００１１】
プリンタ本体１２０は、印刷ジョブ（以下、「ジョブ」という。）に含まれる描画データに基づいて、印刷用紙に画像を形成し、定着させる機能を持つ装置である。また、プリンタ本体１２０は、例えば、操作入力、画面表示等の、ユーザとの入出力を行うユーザインタフェースとなるプリンタ用操作部画面１２１を備える。図１に示されるように、プリンタ本体１２０は、周辺機器が複数接続されている（周辺機器の詳細については後述）。印刷装置１００は、プリンタ本体１２０及び各周辺機器で構成される。
【００１２】
ＤＦＥ１２２は、ユーザ又は他の装置からの入力情報に基づいて、画像データを作成し、プリンタ本体１２０へ送信する装置である。ＤＦＥ１２２は、ＤＦＥ用画面１２３を備え、ユーザに画面表示を行う。
【００１３】
ワークフローＰＣ１２４は、ユーザネットワーク１２７に接続され、印刷のためのデータが入力される。また、ワークフローＰＣ１２４は、当該データに、例えば面付け等の編集を行い、編集後のデータ及び印刷の指示を含むジョブをＤＦＥ１２２に送信する。ワークフローＰＣ１２４は、ワークフローＰＣ用画面１２５を備え、ユーザに画面表示を行う。
【００１４】
ユーザサーバ１２６は、ユーザネットワーク１２７を介して、プリンタ本体１２０、ＤＦＥ１２２及びワークフローＰＣ１２４と接続される。また、ユーザサーバ１２６は、外部ネットワーク１２９を介して、メーカサーバ１２８と接続される。また、ユーザサーバ１２６は、操作ガイダンス情報に係る表示データを記憶する。
【００１５】
ユーザネットワーク１２７は、プリンタ本体１２０、ＤＦＥ１２２、ワークフローＰＣ１２４及びユーザサーバ１２６が接続される。
【００１６】
メーカサーバ１２８は、外部ネットワーク１２９を介して、ユーザサーバ１２６と接続される。メーカサーバ１２８は、最新の操作ガイダンス情報に係る表示データをユーザサーバ１２６に配信する。
【００１７】
図２は、本発明の実施の形態における印刷システム１０００の第２の構成例を示す図である。図２に示されるように、印刷システム１０００は、プリンタ本体１２０、プリンタ用操作部画面１２１、ＤＦＥ１２２、ＤＦＥ用画面１２３、ワークフローＰＣ１２４、ワークフローＰＣ用画面１２５、ユーザサーバ１２６、ユーザネットワーク１２７、メーカサーバ１２８及び外部ネットワーク１２９を含む。図１に示される印刷システム１０００の第１の構成例との差分は、プリンタ本体１２０に接続される周辺機器が異なることである（周辺機器の詳細については後述）。
【００１８】
図３は、本発明の実施の形態における印刷システム１０００に含まれるプリンタと周辺機器の一例を示す図である。図３に示されるように、プリンタ本体１２０及びＤＦＥ１２２、並びに周辺機器であるスタッカ１０２、くるみ製本機１０３、インサータ１０５、２５００枚フィニッシャ１０６、トリマ付２５００枚フィニッシャ１０７、大容量給紙トレイ１０９及び手差しトレイ付大容量給紙トレイ１１０が、プリンタと周辺機器の一例である。
【００１９】
プリンタ本体１２０は、印刷部と操作部を備えるプリンタ本体である。プリンタ本体１２０は、下部に給紙トレイを有し、プリンタ本体１２０のみで印刷可能である。
【００２０】
スタッカ１０２は、印刷後の用紙を内蔵する台車に排出し、台車ごとまとめて運搬することができる周辺機器装置である。
【００２１】
くるみ製本機１０３は、表紙とする上部にくるむ用紙を搭載して、印刷した用紙の外側をくるみ製本する周辺機器装置である。
【００２２】
インサータ１０５は、印刷した用紙の間に紙を挿入する周辺機器装置である。例えば、インサータ１０５は、色のついた紙を章区切りとして挿入することができる。
【００２３】
２５００枚フィニッシャ１０６は、一度に５０枚までステープル留め及びパンチ穴を開けることが可能であり、印刷した用紙を２５００枚まで積み上げ可能な周辺機器装置である。
【００２４】
トリマ付２５００枚フィニッシャ１０７は、２５００枚フィニッシャ１０６の機能に加えて、用紙の３面をカットして所望のサイズにすることができる周辺機器装置である。
【００２５】
ＤＦＥ１２２は、デジタルフロントエンドであり、ユーザからの入力情報に基づいて、描画データを作成、蓄積及び印刷ができる。
【００２６】
大容量給紙トレイ１０９は、用紙サイズがＡ３までの大容量の２段給紙トレイである。
【００２７】
手差しトレイ付大容量給紙トレイ１１０は、大容量給紙トレイ１０９の機能に加えて、手差しトレイを有する周辺機器装置である。
【００２８】
図４は、本発明の実施の形態におけるプリンタ本体１２０のハードウェアの構成例を示す図である。図４に示されるように、プリンタ本体１２０は、操作部３０２、ＤＴＵ（Data Transfer Unit、データ転送ユニット）３０３、ＩＰＵ（Image Processing Unit）３０４、ＩＯＢ（I/O Board、Ｉ／Ｏボード）３０５、後処理系周辺機器間Ｉ／Ｆ３０６、給紙系周辺機器間Ｉ／Ｆ３０７、ＧｂＥ（Giga Bit Ethernet（登録商標））３０８、画像データ転送Ｉ／Ｆ３０９、ＢＡＳＥコントローラ３１０、Ｉ／Ｏ３１１、ＲＡＭ（Random Access Memory）３１２、ＣＰＵ（Central Processing Unit）３１３及びＲＯＭ（Read Only Memory）３１４を有する。
【００２９】
操作部３０２は、ユーザインタフェース機能を有し、表示部と入力部から構成される。ＤＴＵ３０３は、ＤＦＥ１２２から画像データを受信する。ＩＰＵ３０４は、ＤＴＵから画像データの入力を受けて、処理を行い、ＩＯＢ３０５に出力する。ＩＯＢ３０５は、Ｉ／Ｏを行うボードで、本体の紙送り制御及び周辺機器の制御を後処理系周辺機器間Ｉ／Ｆ３０６又は給紙系周辺機器間Ｉ／Ｆ３０７を介して行う。
【００３０】
後処理系周辺機器間Ｉ／Ｆ３０６は、後処理周辺機器と接続して、通信するためのインタフェースである。後処理周辺機器とは、例えば、スタッカ１０２、インサータ１０５又は２５００枚フィニッシャ１０６等の印刷後の用紙に処理を行う周辺機器である。給紙系周辺機器間Ｉ／Ｆ３０７は、給紙系周辺機器と接続して、通信するためのインタフェースである。給紙系周辺機器とは、例えば、大容量給紙トレイ１０９又は手差しトレイ付大容量給紙トレイ１１０等の印刷前の用紙を給紙するための周辺機器である。
【００３１】
ＧｂＥ３０８は、ギガビットイーサネット（登録商標）のインタフェースであり、ＤＦＥ１２２と接続され、コマンド又はステータス等の送受信に用いられる。
【００３２】
画像データ転送Ｉ／Ｆ３０９は、ＤＦＥ１２２と接続するインタフェースであり、画像データの転送に用いられる。
【００３３】
ＢＡＳＥコントローラ３１０は、ＣＰＵ３１３、ＲＡＭ３１２、ＲＯＭ３１４及びＩ／Ｏ３１１を含み、画像データの入出力及びＤＦＥ１２２からのコマンドを解釈して、ＤＴＵ３０３又はＩＰＵ３０４を制御する。Ｉ／Ｏ３１１は、ＰＣＩｅ（Peripheral Component Interconnect Express）又はＧｂＥ３０８等のインタフェースである。ＲＡＭ３１２は、ＣＰＵ３１３を動作させるプログラム又はＯＳ（Operating System）の格納領域及びワークエリアとなるメモリである。ＣＰＵ３１３は、ＯＳを実行し、プリンタ全体を制御する。ＲＯＭ３１４は、ＢＡＳＥコントローラ３１０のプログラム及びデータ等を格納するメモリである。
【００３４】
図５は、本発明の実施の形態における周辺機器４０１のハードウェアの構成例を示す図である。図５に示されるように、周辺機器４０１は、ＲＯＭ４０２、Ｉ／Ｏ４０３、４０６及び４０７、ＣＰＵ４０４及びＲＡＭ４０５を有する。
【００３５】
周辺機器４０１は、プリンタ本体１２０に接続され多種の機能を実現する周辺機器の一例である。周辺機器は、周辺機器が有するそれぞれの機能は異なるが、制御上ほぼ同じ構成を有しており、互いに接続が可能となっている。
【００３６】
ＲＯＭ４０２は、ＣＰＵ４０４を動作させるプログラム及びデータが格納されているメモリである。Ｉ／Ｏ４０３は、周辺機器間を接続するためのインタフェースで、後工程の周辺機器が接続される。後工程の周辺機器とは、後処理周辺機器等のことをいう。Ｉ／Ｏ４０６は、周辺機器間を接続するためのインタフェースで、上位装置の周辺機器が接続される。Ｉ／Ｏ４０７は、周辺機器間を接続するためのインタフェースである。上位装置とは、給紙系周辺機器等のことをいう。ＣＰＵ４０４は、ＲＯＭ４０２又はＲＡＭ４０５に格納されるプログラムを実行して、周辺機器４０１全体を制御する。ＲＡＭ４０５は、ＣＰＵ４０４を動作させるプログラムの格納領域及びワークエリアとなるメモリである。
【００３７】
図６は、本発明の実施の形態におけるＤＦＥ１２２のハードウェアの構成例を示す図である。図６に示されるように、ＤＦＥ１２２は、ＲＯＭ５０２、コマンド／ステータスＩ／Ｆ５０３、ＣＰＵ５０４、ＲＡＭ５０５、ＤＴＵ５０６、画像データ転送Ｉ／Ｆ５０７、Ｉ／Ｏ５０８、ＧｂＥ５０９及びＨＤＤ（Hard Disk Drive）５１０を有する。
【００３８】
ＲＯＭ５０２は、ＣＰＵ５０４を動作させるプログラム及びデータが格納されているメモリである。ＣＰＵ５０４が、ｘ８６系プロセッサである場合、ＢＩＯＳ（Basic Input Output System）を含んでもよい。コマンド／ステータスＩ／Ｆ５０３は、ＧｂＥ５０９を介して、プリンタ本体１２０と接続され、コマンド又はステータスの送受信を行う。ＣＰＵ５０４は、ＲＯＭ５０２又はＲＡＭ５０５に格納されるプログラムを実行して、ＤＦＥ１２２全体を制御する。ＲＡＭ５０５は、ＣＰＵ５０４を動作させるプログラムの格納領域及びワークエリアとなるメモリである。ＤＴＵ５０６は、ＤＦＥ１２２から、プリンタ本体１２０に画像データを送信する機能を有し、画像データ転送Ｉ／Ｆ５０７を有する。画像データ転送Ｉ／Ｆ５０７は、プリンタ本体１２０から要求されたページの画像データをプリンタ本体１２０へ送信するインタフェースである。Ｉ／Ｏ５０８は、ＧｂＥ５０９又はＰＣＩｅ等のＩ／Ｏインタフェースを実現するデバイス群である。ＧｂＥ５０９は、ギガビットイーサネット（登録商標）であり、ユーザのＰＣから、描画命令を含む情報を受信するためのインタフェースである。ＨＤＤ５１０は、プログラム及びデータを保存する。ＨＤＤ５１０は、例えば、Hard Disk Driveでもよいし、Solid State Driveであってもよい。なお、ＤＦＥ１２２が、ＤＴＵ５０６及び画像データ転送Ｉ／Ｆ５０７を有しない場合であっても、コマンド／ステータスＩ／Ｆ５０３を介して、画像データをプリンタ本体１２０に送信すれば、印刷が可能である。ただし、印刷スピードは、コマンド／ステータスＩ／Ｆ５０３を介した印刷よりも、ＤＴＵ５０６及び画像データ転送Ｉ／Ｆ５０７を介した印刷が高速である。
【００３９】
図７は、本発明の実施の形態における印刷システム１０００の機能構成例を示す図である。図７に示されるように、印刷システム１０００は、プリンタ本体１２０、プリンタ用表示部１４０、周辺機器機能部１４１、ＤＦＥ１２２、ＤＦＥ用表示部１４２、ワークフローＰＣ１２４、ワークフローＰＣ用表示部１４３、ユーザサーバ１２６及びメーカサーバ１２８を有する。プリンタ本体１２０、ＤＦＥ１２２、ワークフローＰＣ１２４及びユーザサーバ１２６は、ユーザネットワーク１２７を介して、相互に接続されている。ユーザサーバ１２６とメーカサーバ１２８とは、外部ネットワーク１２９を介して、接続されている。また、プリンタ用表示部１４０は、プリンタ用操作部画面１２１の画面表示を行う機能であり、ＤＦＥ用表示部１４２は、ＤＦＥ用画面１２３の画面表示を行う機能であり、ワークフローＰＣ用表示部１４３は、ワークフローＰＣ用画面１２５の画面表示を行う機能である。
【００４０】
プリンタ本体１２０は、表示装置情報取得部１２０１、画像形式変換部１２０２及び周辺機器情報取得部１２０３を有する。これら各部は、図４に示されるプリンタ本体１２０にインストールされた１以上のプログラムがＣＰＵ３１３に実行させる処理により実現される。
【００４１】
表示装置情報取得部１２０１は、プリンタ用表示部１４０の仕様を取得する。プリンタ用表示部１４０の仕様とは、水平方向及び垂直方向画素数、アスペクト比及び色数等である。
【００４２】
図８は、本発明の実施の形態におけるプリンタ本体操作部７０１及びプリンタ用操作部画面１２１の一例を示す図である。図８に示されるように、プリンタ用操作部画面１２１は、水平画素が１２８０ドット及び垂直画素が１０２４ドットの画面表示部を有し、縦横比は５：４である。なお、プリンタ本体操作部７０１は、ユーザの入力操作を受け付ける物理キーを有し、さらにタッチパネルで入力操作が可能であってもよい。
【００４３】
画像形式変換部１２０２は、ユーザサーバ１２６から配信されたベクタ形式の表示データを、例えばビットマップ形式に変換する。ベクタ形式の表示データとは、例えば、ＳＶＧ（Scalable Vector Graphics）という形式の表示データである。ＳＶＧは、ＸＭＬ（Extensible Markup Language）ベースの２次元ベクタイメージに用いられる画像形式である。画像形式変換部１２０２は、表示装置情報取得部１２０１が取得したプリンタ用操作部画面１２１の仕様に基づいて、プリンタ用操作部画面１２１で表示するために適した表示データに変換する。
【００４４】
図７に戻る。周辺機器情報取得部１２０３は、プリンタ本体１２０に接続されている周辺機器の構成情報を周辺機器機能部１４１から取得する。構成情報とは、例えば、各周辺機器の機種名及び各周辺機器がどのような順序で接続されているか等の情報である。取得された構成情報は、周辺機器情報取得部１２０３へ送信される。なお、ある周辺機器は、後段又は前段に接続できない周辺機器が存在し、また印刷装置１００で接続できる周辺機器機能部１４１の台数の上限が存在する等周辺機器機能部１４１の接続に関して制約条件がある。そこで、周辺機器情報取得部１２０３は、当該制約条件も含めて、周辺機器機能部１４１の構成情報としてもよい。例えば、当該制約条件は、周辺機器の接続順のエラーの判定に使用されてもよい。
【００４５】
ＤＦＥ１２２は、表示装置情報取得部１２２１及び画像形式変換部１２２２を有する。これら各部は、図６に示されるＤＦＥ１２２にインストールされた１以上のプログラムがＣＰＵ５０４に実行させる処理により実現される。
【００４６】
表示装置情報取得部１２２１は、ＤＦＥ用表示部１４２の仕様を取得する。ＤＦＥ用表示部１４２の仕様とは、水平方向及び垂直方向の画素数、アスペクト比及び色数等である。
【００４７】
画像形式変換部１２２２は、ユーザサーバ１２６から配信されたベクタ形式の表示データを、例えばビットマップ形式に変換する。画像形式変換部１２２２は、表示装置情報取得部１２２１が取得したＤＦＥ用表示部１４２の仕様に基づいて、ＤＦＥ用表示部１４２で表示するために適した表示データに変換する。
【００４８】
ワークフローＰＣ１２４は、表示装置情報取得部１２４１及び画像形式変換部１２４２を有する。これら各部は、ワークフローＰＣ１２４にインストールされた１以上のプログラムがワークフローＰＣ１２４のＣＰＵに実行させる処理により実現される。
【００４９】
表示装置情報取得部１２４１は、ワークフローＰＣ用表示部１４３の仕様を取得する。ワークフローＰＣ用表示部１４３の仕様とは、水平方向及び垂直方向の画素数、アスペクト比及び色数等である。
【００５０】
画像形式変換部１２４２は、ユーザサーバ１２６から配信されたベクタ形式の表示データを、例えばビットマップ形式に変換する。画像形式変換部１２４２は、表示装置情報取得部１２４１が取得したワークフローＰＣ用表示部１４３の仕様に基づいて、ワークフローＰＣ用表示部１４３で表示するために適した表示データに変換する。
【００５１】
ユーザサーバ１２６は、印刷装置構成取得部１２６１、表示データ生成部１２６２、表示データ記憶部１２６３、表示データ配信部１２６４、表示装置情報取得部１２６５及び画像形式変換部１２６６を有する。これら各部は、ユーザサーバにインストールされた１以上のプログラムがユーザサーバ１２６のＣＰＵに実行させる処理により実現される。
【００５２】
印刷装置構成取得部１２６１は、周辺機器情報取得部１２０３が取得したプリンタ本体１２０に接続されている周辺機器の構成情報を取得する。ユーザサーバ１２６は、印刷装置構成取得部１２６１が周辺機器の構成情報を取得することで、プリンタ本体１２０及び接続されている周辺機器の構成図等の各種表示データを生成することができる。
【００５３】
表示データ生成部１２６２は、印刷装置構成取得部１２６１が取得した周辺機器の構成情報に基づいて、プリンタ本体１２０及び各周辺機器の画像を組み合わせることで、印刷装置１００のマシン構成図等の画像の表示データをベクタ形式で生成する。
【００５４】
表示データ記憶部１２６３は、表示データ生成部１２６２が生成した、ベクタ形式の表示データを記憶する。表示データ記憶部１２６３は、ユーザサーバ１２６が備える記憶装置で実現される。
【００５５】
表示データ配信部１２６４は、表示データ記憶部１２６３に記憶されているベクタ形式の表示データを、プリンタ用表示部１４０、ＤＦＥ用表示部１４２又はワークフローＰＣ用表示部１４３に表示させるために各装置に配信する。当該配信には、ＨＴＴＰ（Hypertext Transfer Protocol）、ＦＴＰ（File Transfer Protocol）、ＳＭＢ（Server Message Block）、ＮＦＳ（Network File System）等の各種通信プロトコルを用いることができる。また、当該配信のタイミングは、印刷装置１００がレディ状態に遷移するときでもよいし、印刷装置１００のマシン構成図の画像の表示を伴うイベントが発生することを契機としてもよい（レディ状態及びイベントについては後述）。
【００５６】
表示データ配信部１２６４が、ベクタ形式の表示データを各装置に配信すると、当該ベクタ形式の表示データは、各装置の画像形式変換部１２０２、１２２２、１２４２によって、各表示装置の仕様に適合したビットマップ形式の画像の表示データに変換される。当該ビットマップ形式の画像の表示データに基づいて、各表示装置の仕様に対応した、印刷装置１００のマシン構成図を表示することができる。
【００５７】
表示装置情報取得部１２６５は、プリンタ用表示部１４０、ＤＦＥ用表示部１４２及びワークフローＰＣ用表示部１４３の仕様を取得する。
【００５８】
画像形式変換部１２６６は、ベクタ形式の表示データを、ビットマップ形式に変換する。画像形式変換部１２６６は、表示装置情報取得部１２６５が取得した各装置の表示装置の仕様に基づいて、各装置の表示装置で表示するために適した表示データに変換する。
【００５９】
メーカサーバ１２８は、表示データ更新部１２８１を有する。表示データ更新部１２８１は、外部ネットワーク１２９を介してユーザサーバ１２６に最新の表示データを送信する。ユーザサーバ１２６は、接続されているプリンタ本体及び周辺機器のマシン構成図データ、ジャム処理の図データ、ガイドの図データ、ガイド情報データ等に関して、定期的にメーカサーバ１２８にアクセスして、最新のデータを取得する。さらに、メーカサーバ１２８の各種表示データに更新があった場合、ユーザサーバ１２６は、メーカサーバ１２８から通知を受けて、更新があった表示データを更新してもよい。また、メーカサーバ１２８からの表示データをユーザサーバ１２６に追加インストールさせることによって、後発の周辺機器、プリンタ本体１２０又はＤＦＥ１２２の情報をユーザサーバ１２６の記憶装置に保存し、表示データ配信部１２６４が配信することで、各表示装置に表示させる対応を行うことが可能である。すなわち、後発の周辺機器の設置であっても、ユーザサーバ１２６に追加で表示データをインストールすることで、後発の周辺機器の設置に対応したユーザインタフェースを実現できる。
【００６０】
図９は、本発明の実施の形態における各装置の電源投入時の動作を示すフローチャートである。プリンタレディとは、印刷装置１００が起動完了した状態をいう。また、システムレディとは、印刷装置１００及びＤＦＥ１２２すべてが起動完了した状態をいう。また、プリンタシステムレディとは、印刷装置１００、ＤＦＥ１２２及びワークフローＰＣ１２４すべてが起動完了し、印刷可能な状態をいう。
【００６１】
図９に示されるように、ワークフローＰＣ１２４は、ステップＳ６４０で、電源を投入される。続いて、ステップＳ６４１で初期化、ステップＳ６４２でダイアグすなわち自己診断プログラムを実行する。続いて、ステップＳ６４３で、プログラム、例えばアプリケーションの起動を行う。続いて、ステップＳ６４４では、システムレディがＤＦＥ１２２から通知されるまで待ち状態に入る。
【００６２】
ステップＳ６４５において、プリンタシステムレディに遷移すると、ステップＳ６４６において、ジョブ待ち状態に入り、ユーザＰＣからのジョブ入力待ちを行う。ジョブが入力されると、ステップＳ６４７において、アプリケーションはジョブに対してページ配置及び色補正等を行い、ＤＦＥ１２２へジョブ実行命令を発行する（Ｓ６４８）。ジョブの実行後は、ステップＳ６４６でジョブ待ち状態となる。
【００６３】
図９に示されるように、ＤＦＥ１２２は、ステップＳ６０１で、電源を投入される。続いて、ステップＳ６０２で初期化、ステップＳ６０３でダイアグすなわち自己診断プログラムを実行する。続いて、ステップＳ６０４で、ＯＳ及びプログラム、例えばアプリケーションの起動を行う。続いて、ステップＳ６０５では、プリンタ本体１２０からプリンタレディが通知されるまで待ち状態に入る。
【００６４】
ステップＳ６０６において、ＤＦＥ１２２が起動完了しているとき、システムレディに遷移する。続いて、ステップＳ６０７において、ジョブ待ち状態に入り、ユーザＰＣ又はワークフローＰＣからのジョブ入力待ちを行う。ジョブが入力されると、ステップＳ６０８において、アプリケーションはジョブに対して描画、データ転送及び印刷命令発行等を行い、プリンタ本体１２０へ命令を発行する（Ｓ６０９）。ジョブの実行後は、ステップＳ６０７でジョブ待ち状態となる。
【００６５】
図９に示されるように、プリンタ本体１２０は、ステップＳ６１０で、電源を投入される。続いて、ステップＳ６１１で初期化、ステップＳ６１２でダイアグすなわち自己診断プログラムを実行する。続いて、プリンタ本体１２０は、プリンタの画像に関する初期化を行う（Ｓ６１３）。画像に関する初期化とは、カラー調整等をいう。続いて、周辺機器のチェックを行う（Ｓ６１４）。プリンタ本体１２０に、接続されている周辺機器すべてについて、機器の種類、台数、対応している機能のチェックを行う。続いて、周辺機器すべてに対し、初期化コマンドの発行を行う（Ｓ６１５）。初期化コマンドは、周辺機器で実行されて完了すると、周辺機器はレディ状態に遷移する。ステップＳ６１６は、周辺機器にコマンドを送信することを示す。ステップＳ６１７において、プリンタ本体１２０及び周辺機器すべて、すなわち印刷装置１００が起動完了の状態となり、プリンタレディをＤＦＥ１２２に送信する（Ｓ６１８）。
【００６６】
ステップＳ６１９において、プリンタ本体１２０は、ＤＦＥ１２２からのコマンド待ち状態となる。コマンドを受信すると、プリンタ本体１２０は、印刷を実行する（Ｓ６２０）。また、当該印刷に伴うコマンドを周辺機器に送信する（Ｓ６２１）。印刷は、描画、面付け、画像出力等を行う。印刷の実行後は、ステップＳ６１９でコマンド待ち状態となる。
【００６７】
図９に示されるように、周辺機器群は、ステップＳ６３０で、電源を投入される。続いて、ステップＳ６３１で初期化、ステップＳ６３２でダイアグすなわち自己診断プログラムを実行する。ステップＳ６３３において、周辺機器群は、プリンタ本体からのコマンド待ち状態となる。コマンドを受信すると、周辺機器群は、コマンドを実行する（Ｓ６３４）。コマンドの実行後は、ステップＳ６３３でコマンド待ち状態となる。
【００６８】
図９に示される立ち上がりシーケンスにおいて、各装置が関連する詳細を説明する。電源スイッチは、プリンタ本体１２０とＤＦＥ１２２とに別々に備えられる。プリンタ本体１２０の電源が投入され（Ｓ６１０）、初期化（Ｓ６１１）とダイアグ（Ｓ６１２）が行われると、プリンタ本体１２０の立ち上がりに遅れて、周辺機器の電源がプリンタ本体１２０の制御により、投入される（Ｓ６３０）。続いて、プリンタ本体１２０は、画像に関する初期化、すなわちプリンタ初期化（Ｓ６１３）を行う。
【００６９】
プリンタ本体１２０に、複数の周辺機器が接続されている場合には、接続がより近い方から、順にＩＤが付与されて、プリンタ本体１２０から問い合わせコマンドが送信される。周辺機器は、問い合わせコマンドに応答して、自機が対応する機能、自機のエラー状態等を、プリンタ本体１２０に送信して、再度、コマンド待ち（Ｓ６３３）に遷移する。また、周辺機器は、自機宛てのコマンドでない場合は、接続関係が下位の周辺機器へ当該コマンドを伝達する。伝達を繰り返して、プリンタ本体１２０は、周辺機器の構成を取得する。また、後処理機の接続順が違う等構成が不正である場合、例えば、プリンタ用操作部画面１２１にエラーを表示して、修正をユーザに促す。周辺機器に異常がなければ、周辺機器を初期化する。周辺機器にエラーがなければ、プリンタレディとなり、ＤＦＥ１２２にプリンタレディを送信して、プリンタ本体１２０は、コマンド待ち（Ｓ６１９）になる。
【００７０】
ＤＦＥ１２２は、電源投入後（Ｓ６０１）、初期化（Ｓ６０２）、ダイアグ実行（Ｓ６０３）、ＯＳ及びシステムプログラム起動（Ｓ６０４）ののち、プリンタレディを待ち（Ｓ６０５）、プリンタレディになると、システムレディの状態（Ｓ６０６）になって、ワークフローＰＣ１２４からの、ジョブ投入待ち（Ｓ６０７）になる。
【００７１】
ワークフローＰＣ１２４は、電源投入後（Ｓ６４０）、初期化（Ｓ６４１）、ダイアグ実行及びＯＳ起動（Ｓ６４２）、ワークフローソフト（プログラム）起動（Ｓ６４３）とプリンタシステムとは独立して立ち上がる。その後、ワークフローソフトにより、システムレディ待ち（Ｓ６４４）をおこないＤＦＥ１２２からシステムレディが送信されることにより、プリンタシステムレディ（Ｓ６４５）となると、上位ユーザＰＣからのジョブ投入待ち（Ｓ６４６）となる。
【００７２】
なお、プリンタシステムＡとプリンタシステムＢの両方がワークフローＰＣに接続されているケースもある。そのような場合、ワークフローＰＣ１２４は、プリンタシステムＡとプリンタシステムＢの双方のシステムレディをステップＳ６４４で待つ。
【００７３】
図１０は、本発明の実施の形態における第１の画像表示処理のフローチャートである。
【００７４】
ステップＳ１００から処理が開始される。ステップＳ１０１において、印刷システム１０００は、図９に示される手順によって、システムレディ状態に遷移する（Ｓ１０１）。
【００７５】
続いて、周辺機器情報取得部１２０３は、取得した周辺機器の情報及び印刷装置１００の構成情報を、印刷装置構成取得部１２６１に送信する。
【００７６】
印刷装置構成取得部１２６１に送信された情報に基づいて、表示データ生成部１２６２は、印刷装置１００のマシン構成図等の表示データをベクタ形式で生成する（Ｓ１０２）。生成された表示データは、表示データ記憶部１２６３に記憶される。これにより、プリンタ本体１２０、ＤＦＥ１２２及びワークフローＰＣ１２４は、それぞれ大量の表示データを保持する必要がなく、表示データが必要な場合は、ユーザサーバ１２６から配信を受けることができる。
【００７７】
ステップＳ１０３において、印刷装置１００において、画像の表示を伴うイベントが発生したか否かを判定する。例えば、画像の表示を伴うイベントの例としては、ジャムの発生、装置のエラー等が挙げられる。当該イベントが発生した場合は、印刷装置１００のマシン構成図とともにエラー内容をプリンタ用表示部１４０等に表示することで、ユーザはエラーの発生箇所を視覚的に捉えることができる。すなわち、ユーザは表示されたマシン構成図を見ることで、エラーの発生箇所を把握しやすくなり、適切な対処をとることができる。なお、ステップＳ１０３においてイベントが発生した場合、ユーザサーバ１２６は、印刷装置１００が設置されている地域情報及び使用言語情報に基づいて、使用言語に適合する表示データを各装置に配信してもよい。これにより、必要な表示データのみが配信されるため、各装置のメモリ使用量は削減される。
【００７８】
ステップＳ１０３において、画像の表示を伴うイベントが発生していない場合（Ｓ１０３のＮＯ）は、イベントが発生するまで待機する。画像の表示を伴うイベントが発生した場合（Ｓ１０３のＹＥＳ）は、ステップＳ１０４に進む。
【００７９】
ステップＳ１０４において、表示データ配信部１２６４は、表示データ記憶部１２６３が記憶しているベクタ形式の表示データを、各装置の画像形式変換部１２０２、１２２２、１２４２へ配信する。続いて、各装置の画像形式変換部１２０２、１２２２、１２４２は、自装置に接続される表示装置の仕様に合わせて、配信されたベクタ形式の表示データをビットマップ形式の表示データに変換する（Ｓ１０５）。表１は、表示装置の仕様の一例を示す。
【００８０】
【表１】
2018156484.tif 000003
また、各装置が取り得る画面サイズの一例を表２、表３及び表４で示す。
【００８１】
【表２】
2018156484.tif 000004
【００８２】
【表３】
2018156484.tif 000005
【００８３】
【表４】
2018156484.tif 000006
表１に示されるように、表示装置の仕様は、「種別」「水平ｘ垂直画素数」「縦横比」が関連付けられて定義される。「種別」で識別される表示装置が、設定可能である画面の情報が定義される。例えば、プリンタ本体１２０は、１２８０ｘ１０２４の画面表示が可能であり、ＤＦＥ１２２は、１６００ｘ１２００の画面表示が可能であり、ワークフローＰＣ１２４は、１０２４ｘ７６８の画面表示が可能である。表２、表３及び表４に示されるように、表示装置は様々な画面サイズを有し、プリンタ画面サイズは、プリンタ用操作部画面１２１、ＤＦＥ画面サイズはＤＦＥ用画面１２３、ワークフローＰＣ画面サイズは、ワークフローＰＣ用画面１２５に対応する。例えば、表２、表３及び表４に示される例では、プリンタ画面サイズは８インチ又は１０インチに対し、ＤＦＥ画面サイズ及びワークフローＰＣ画面サイズでは、８インチ又は１０インチの画面サイズは存在しないため、必ず異なる画面サイズでの描画が必要となる。
【００８４】
なお、「縦横比」が同じで「水平ｘ垂直画素数」が異なる場合は、ビットマップ形式の表示データは流用可能であるが、画素数の差が多い場合は、不適切な表示となる場合がある。例えば、小さな画素数の画面で適したサイズの図は、大きな画素数の画面では小さく見えてしまう。そのため、異なる画素数又は縦横比の画面で表示データを共有する場合、ベクタ形式の表示データから、それぞれの画面に合わせた表示データへ変換を行う。なお、ベクタ形式の表示データを拡大、縮小又は回転させる場合、ビットマップ形式の表示データに比べ、画質の劣化が少ない、平滑な画面表示データを得ることが可能である。
【００８５】
例えば、このようなベクタ形式の表示データで、ユーザサーバ１２６の記憶装置に、ワークフローＰＣ１２４と接続可能なすべての機種のプリンタ本体及び周辺機器のマシン構成図データ、ジャム処理の図データ、ガイドの図データ、ガイド情報データを保持する。必要に応じて、ユーザサーバ１２６は、ＤＦＥ１２２、ワークフローＰＣ１２４又はプリンタ本体１２０へ当該表示データを転送することで、表示データを共有できる。なお、プリンタ本体１２０は、自装置の表示データを保持しているが、周辺機器の追加時等に、ユーザサーバ１２６が保持している表示データの共有を行う。
【００８６】
なお、ユーザサーバ１２６、ワークフローＰＣ１２４、ＤＦＥ１２２及びプリンタ本体１２０は、ユーザネットワーク１２７（ＧｂＥなど）を介して接続されているため、相互のデータの送受信は可能である。
【００８７】
また、ユーザサーバ１２６が保持する表示データは、ベクタ形式の表示データに限られない。各装置の表示画面の仕様に合わせて、複数の表示データをビットマップ形式で、ユーザサーバ１２６が保持することにより、各装置の表示画面の仕様に合わせた表示データを配信することが可能である。
【００８８】
また、常に、ユーザサーバ１２６の記憶装置に記憶するデータについて、ＤＦＥ１２２又はプリンタ本体１２０から、電源投入時に、設置されている地域又は国、及び使用される言語情報を取得して、使用される言語のみに対応したマシン構成図情報とジャム処理図、ガイドの図、ガイド情報データのみを保持することで使用する記憶領域を減らすことができる。
【００８９】
図１１は、本発明の実施の形態におけるＤＦＥ用画面１２３の表示画面の一例を示す図である。図１１に示されるように、ＤＦＥ用画面１２３に、マシン構成図が表示されている。ＤＦＥ１２２は、構成情報を保持しているので、当該構成情報を用いてユーザサーバ１２６から必要な表示データ、例えば、追加された周辺機器の画像等を必要なときにダウンロードしてマシン構成図を表示してもよい。
【００９０】
図１２は、本発明の実施の形態における各装置の第１の画像表示の一例を示す図である。図１２に示されるように、表示データ記憶部１２６３に記憶されているＳＶＧ表示データに基づいて、プリンタ用操作部画面１２１、ＤＦＥ用画面１２３及びワークフローＰＣ用画面１２５にマシン構成図が表示されている。
【００９１】
図１０に戻る。ステップＳ１０６において、ビットマップ形式の表示データを、各表示装置、すなわちプリンタ用表示部１４０、ＤＦＥ用表示部１４２、ワークフローＰＣ用表示部１４３に表示し、フローを終了する（Ｓ１０７）。なお、ステップＳ１０７に進まずに、ステップＳ１０３に進み、次にイベントの発生に備えて待機してもよい。
【００９２】
なお、ステップＳ１００において、印刷装置構成取得部１２６１が、周辺機器の情報及び印刷装置１００の構成情報をＤＦＥ１２２から取得してもよい。例えば、周辺機器は、自身の情報を保有しており、電源投入時に自身の情報を周辺機器機能部１４１からプリンタ本体１２０へ送信する。さらに、プリンタ本体１２０が、受信した情報及び印刷装置１００の構成情報をＤＦＥ１２２へ送信し、ＤＦＥ１２２が当該情報を、印刷装置構成取得部１２６１に送信してもよい。また、ステップＳ１０３において、画像の表示を伴うイベントが発生した場合に限り、表示データが各装置に配信されるため、使用するメモリ容量を削減できる。
【００９３】
図１３は、本発明の実施の形態における第２の画像表示処理のフローチャートである。  ステップＳ２００から処理が開始される。ステップＳ２０１において、印刷システム１０００は、図９に示される手順によって、システムレディ状態に遷移する。
【００９４】
続いて、周辺機器情報取得部１２０３は、取得した周辺機器の情報及び印刷装置１００の構成情報を、印刷装置構成取得部１２６１に送信する。さらに、表示装置情報取得部１２６５は、各装置の表示装置の仕様を取得する（Ｓ２０２）。各装置の表示装置情報取得部１２０１、１２２１、１２４１が取得した情報が、表示装置情報取得部１２６５に送信される。
【００９５】
印刷装置構成取得部１２６１が取得した情報に基づいて、表示データ生成部１２６２は、印刷装置１００のマシン構成図等の表示データをベクタ形式で生成する（Ｓ２０３）。生成された表示データは、表示データ記憶部１２６３に記憶される。続いて、画像形式変換部１２６６は、表示装置情報取得部１２６５が取得した各装置の表示装置の仕様に合わせて、ベクタ形式の表示データをビットマップ形式の表示データに変換する（Ｓ２０４）。各装置の表示装置の仕様に合わせて変換されたそれぞれのビットマップ形式の表示データは、表示データ記憶部１２６３に記憶される。
【００９６】
ステップＳ２０５において、印刷装置１００において、画像の表示を伴うイベントが発生したか否かを判定する。画像の表示を伴うイベントは、図１０に示されるステップＳ１０３と同様に発生する。
【００９７】
ステップＳ２０５において、図１０に示されるステップＳ１０３と同様に、印刷装置１００において、画像の表示を伴うイベントが発生したか否かを判定する。画像の表示を伴うイベントが発生していない場合（Ｓ２０５のＮＯ）は、イベントが発生するまで待機する。画像の表示を伴うイベントが発生した場合（Ｓ２０５のＹＥＳ）は、ステップＳ２０６に進む。
【００９８】
ステップＳ２０６において、表示データ配信部１２６４は、表示データ記憶部１２６３が記憶している各装置の表示装置の仕様に合わせて変換されたそれぞれのビットマップ形式の表示データを、各装置へ配信する。続いて、各装置は、それぞれビットマップ形式の表示データをプリンタ用表示部１４０、ＤＦＥ用表示部１４２、ワークフローＰＣ用表示部１４３に表示し（Ｓ２０６）、ステップＳ２０５へ進み、次のイベントの発生に備えて待機する。
【００９９】
図１４は、本発明の実施の形態における各装置の第２の画像表示の一例を示す図である。図１４に示されるように、表示データ記憶部１２６３に記憶されている各装置の表示装置ごとに生成されたビットマップ表示データに基づいて、プリンタ用操作部画面１２１、ＤＦＥ用画面１２３及びワークフローＰＣ用画面１２５にマシン構成図が表示されている。
【０１００】
上述したように、本発明の実施の形態によれば、印刷システム１０００において、ユーザサーバ１２６が、印刷装置１００のマシン構成図及びジャム処理図、ガイドの図等をベクタ形式の表示データで記憶し、電源投入時、マシン構成変更時、ジャム発生時等のイベント発生時に、プリンタ本体１２０、ＤＦＥ１２２又はワークフローＰＣ１２４へ、ユーザネットワーク１２７を介して配信することで、異なる物理パラメータの画面であっても、統一された図を表示することにより、共通のユーザインタフェース機能を実現できる。すなわち、印刷システムに接続された装置間で共通の画像データを使用することにより、使用メモリを削減して、ユーザインタフェースを改善することができる。
【０１０１】
なお、本発明の実施の形態において、印刷ジョブは、ジョブの一例である。ワークフローＰＣ１２４は、作成装置の一例である。ＤＦＥ１２２は、制御装置の一例である。プリンタ本体１２０又は印刷装置１００は、画像形成装置の一例である。表示データ配信部１２６４は、送信部の一例である。ユーザサーバ１２６は、情報処理装置の一例である。メーカサーバ１２８は、サーバ装置の一例である。構成情報又はマシン構成図は、機器構成の一例である。イベントは、事象の一例である。
【０１０２】
以上、本発明の実施例について詳述したが、本発明は斯かる特定の実施形態に限定されるものではなく、特許請求の範囲に記載された本発明の要旨の範囲内において、種々の変形・変更が可能である。
【符号の説明】
【０１０３】
１０００        印刷システム
１００          印刷装置
１２０          プリンタ本体
１２１          プリンタ用操作部画面
１２２          ＤＦＥ（デジタルフロントエンド）
１２３          ＤＦＥ用画面
１２４          ワークフローＰＣ
１２５          ワークフローＰＣ用画面
１２６          ユーザサーバ
１２７          ユーザネットワーク
１２８          メーカサーバ
１２９          外部ネットワーク
１０２          スタッカ
１０３          くるみ製本機
１０５          インサータ
１０６          ２５００枚フィニッシャ
１０７          トリマ付２５００枚フィニッシャ
１０９          大容量給紙トレイ
１１０          手差しトレイ付大容量給紙トレイ
３０２          操作部
３０３          ＤＴＵ（データ転送ユニット）
３０４          ＩＰＵ（イメージプロセッシングユニット）
３０５          ＩＯＢ（入出力ボード）
３０６          後処理系周辺機器間Ｉ／Ｆ
３０７          給紙系周辺機器間Ｉ／Ｆ
３０８          ＧｂＥ（ギガビットイーサネット（登録商標））
３０９          画像データ転送Ｉ／Ｆ
３１０          ＢＡＳＥコントローラ
３１１          Ｉ／Ｏ
３１２          ＲＡＭ
３１３          ＣＰＵ
３１４          ＲＯＭ
４０１          周辺機器
４０２          ＲＯＭ
４０３          Ｉ／Ｏ（周辺機器同士が接続されるためのＩ／Ｆ）
４０４          ＣＰＵ
４０５          ＲＡＭ
４０６          Ｉ／Ｏ（周辺機器同士が接続されるためのＩ／Ｆ）
４０７          Ｉ／Ｏ
５０２          ＲＯＭ
５０３          コマンド／ステータスＩ／Ｆ
５０４          ＣＰＵ
５０５          ＲＡＭ
５０６          ＤＴＵ
５０７          画像データ転送Ｉ／Ｆ
５０８          Ｉ／Ｏ
５０９          ＧｂＥ
５１０          ストレージ
７０１          プリンタ本体操作部
１４０          プリンタ用表示部
１４１          周辺機器機能部
１４２          ＤＦＥ用表示部
１４３          ワークフローＰＣ用表示部
１２０１        表示装置情報取得部
１２０２        画像形式変換部
１２０３        周辺機器情報取得部
１２２１        表示装置情報取得部
１２２２        画像形式変換部
１２４１        表示装置情報取得部
１２４２        画像形式変換部
１２６１        印刷装置構成取得部
１２６２        表示データ生成部
１２６３        表示データ記憶部
１２６４        表示データ配信部
１２６５        表示装置情報取得部
１２６６        画像形式変換部
【先行技術文献】
【特許文献】
【０１０４】
【特許文献１】特開２００２−０１６７４９号公報
【図１】
2018156484.tif 000007
【図２】
2018156484.tif 000008
【図３】
2018156484.tif 000009
【図４】
2018156484.tif 000010
【図５】
2018156484.tif 000011
【図６】
2018156484.tif 000012
【図７】
2018156484.tif 000013
【図８】
2018156484.tif 000014
【図９】
2018156484.tif 000015
【図１０】
2018156484.tif 000016
【図１１】
2018156484.tif 000017
【図１２】
2018156484.tif 000018
【図１３】
2018156484.tif 000019
【図１４】
2018156484.tif 000020